(57)【要約】【課題】十分な防犯機能を果たすことができる防犯照明システムを提供する。【解決手段】複数個の照明器具２０は、各々検知部２２と、信号を送受信可能な送受信部２３と、照明器具２０を制御する制御部２４と、を有しており、防犯モードに設定されているいずれかの照明器具２０の検知部２２が人を検知すると、その照明器具２０においては、制御部２４が自身の点滅動作を指令して、人を威嚇する。同時に、送受信部２３が他の全ての照明器具２０に人検知信号を発信するので、他の全ての照明器具２０は、防犯モードか否かにかかわらず、その送受信部２３が人検知信号を受信し、制御部２４が自身の点滅動作を指令する。このため、防犯モードに設定されているいずれか一つの照明器具２０が人を検知すると、全ての照明器具２０で人を検知した状態となり、例えば、各照明器具２０を点滅させて、不審者を威嚇するので、防犯効果が一層増す。【選択図】図１
2010033809.tif 000002
【特許請求の範囲】
【請求項１】
複数個の照明器具を有する防犯照明システムであって、
前記各照明器具は、人を検知する検知部と、信号を送受信可能な送受信部と、前記照明器具を制御する制御部と、を有し、
前記複数個の照明器具のうち防犯モードに設定されているいずれかの照明器具の検知部が人を検知すると、当該検知した照明器具においては、前記制御部が自身の点滅動作を指令するとともに、前記送受信部が他の全ての前記照明器具に人検知信号を発信し、
他の全ての前記照明器具においては、前記送受信部が前記人検知信号を受信し、前記制御部が自身の点滅動作を指令することを特徴とする防犯照明システム。
【請求項２】
前記複数個の照明器具は、規則的に点滅動作を開始するものであることを特徴とする請求項１記載の防犯照明システム。
【請求項３】
前記複数個の照明器具は、不規則的に点滅動作を開始するものであることを特徴とする請求項１記載の防犯照明システム。
【請求項４】
前記各照明器具における前記点滅動作が、点滅間隔を規則的に変化させるものであることを特徴とする請求項１〜請求項３のいずれかに記載の防犯照明システム。
【請求項５】
前記各照明器具における前記点滅動作が、点滅間隔を不規則的に変化させるものであることを特徴とする請求項１〜請求項３のいずれかに記載の防犯照明システム。
【請求項６】
前記点滅動作が、人検知後所定時間経過後に停止することを特徴とする請求項1〜請求項５のいずれかに記載の防犯照明システム。
【請求項７】
前記検知部が人を検知したときに音を発する音出力部を有することを特徴とする請求項１〜請求項６のいずれかに記載の防犯照明システム。
【発明の詳細な説明】
【技術分野】
【０００１】
本発明は、防犯照明システムに関するものである。
【背景技術】
【０００２】
最近は、不審者の奇行や犯罪が後を絶たず、防犯に対する意識も高まり、個人でも防犯システムを導入する人が増えてきた。従来より、このようなときに用いられる防犯機能付きの照明器具が知られている（例えば特許文献１参照）。
図９に示すように、特許文献１に記載の照明器具１００は、人を検知する人センサ部１０１、周囲の照度を検出する明るさセンサ１０４、計時を行うタイマ部１０５、光を出力する照明負荷部１０２と、人センサ部を含む器具全体の制御を行う点灯制御手段１０３とを備えている。そして、人センサ部１０１が人を検知すると、照明負荷部１０２から光が出力されて人を威嚇する。このとき、点灯制御手段１０３によって、出力される光の質を変化させて、威嚇効果を高めている。
【特許文献１】特開２００３−２０３７８４号公報（第１図）
【発明の開示】
【発明が解決しようとする課題】
【０００３】
しかしながら、前述したような人感センサ１０１付の照明器具１００のように、１台の照明器具１００のみが防犯機能を働かせても、不審者を十分に威嚇することが期待できないという問題がある。
【０００４】
本発明は、従来の問題を解決するためになされたもので、十分な防犯機能を果たすことができる防犯照明システムを提供することを目的とする。
【課題を解決するための手段】
【０００５】
本発明の防犯照明システムは、複数個の照明器具を有する防犯照明システムであって、  前記各照明器具は、人を検知する検知部と、信号を送受信可能な送受信部と、前記照明器具を制御する制御部と、を有し、前記複数個の照明器具のうち防犯モードに設定されているいずれかの照明器具の検知部が人を検知すると、当該検知した照明器具においては、前記制御部が自身の点滅動作を指令するとともに、前記送受信部が他の全ての前記照明器具に人検知信号を発信し、他の全ての前記照明器具においては、前記送受信部が前記人検知信号を受信し、前記制御部が自身の点滅動作を指令する構成を有している。
【０００６】
この構成により、複数個の照明器具は、各々検知部と、信号を送受信可能な送受信部と、照明器具を制御する制御部と、を有しており、防犯モードに設定されているいずれかの照明器具の検知部が人を検知すると、その照明器具においては、制御部が自身の点滅動作を指令して、人を検知したことを知らせる。同時に、送受信部が他の全ての照明器具に人検知信号を発信するので、他の全ての照明器具は、防犯モードか否かにかかわらず、その送受信部が人検知信号を受信し、制御部が自身の点滅動作を指令する。このため、防犯モードに設定されているいずれか一つの照明器具が人を検知すると、全ての照明器具で人を検知した状態となり、例えば、各照明器具を点滅させて、不審者を威嚇するので、防犯効果が一層増す。
【０００７】
また、本発明の防犯照明システムは、前記複数個の照明器具は、規則的に点滅動作を開始する構成を有している。
【０００８】
この構成により、複数個の照明器具において、規則的に点滅動作を開始するので、例えば、各照明装置を同時に点滅動作を開始させたり、各照明器具が次々に連続して点滅動作を開始させることにより、一層、防犯効果を増すことができる。
【０００９】
また、本発明の防犯照明システムは、前記複数個の照明器具は、不規則的に点滅動作を開始する構成を有している。
【００１０】
この構成により、複数個の照明器具において、不規則的（ランダム）に点滅動作を開始するので、どの照明器具が点滅動作を開始するのか不明であり、一層、防犯効果を増すことができる。
【００１１】
また、本発明の防犯照明システムは、前記各照明器具における前記点滅動作が、点滅間隔を規則的に変化させる構成を有している。
【００１２】
この構成により、照明器具を点滅させる際に、点滅間隔を規則的に変化させることにより、一層、防犯効果を増すことができる。
【００１３】
また、本発明の防犯照明システムは、前記各照明器具における前記点滅動作が、点滅間隔を不規則的に変化させるも構成を有している。
【００１４】
この構成により、照明器具を点滅させる際に、点滅間隔を不規則的に変化させることにより、一層、防犯効果を増すことができる。
【００１５】
また、本発明の防犯照明システムは、前記点滅動作が、人検知後所定時間経過後に停止する構成を有している。
【００１６】
この構成により、人検知後、所定時間経過したら点滅動作を停止するので、省エネを図ることができる。
【００１７】
さらに、本発明の防犯照明システムは、前記検知部が人を検知したときに音を発する音出力部を有する構成を有している。
【００１８】
この構成により、光の点滅動作に加えて、音を発するので、一層、防犯効果を増すことができる。
【発明の効果】
【００１９】
本発明は、複数個の照明器具は、各々検知部と、信号を送受信可能な送受信部と、照明器具を制御する制御部と、を有しており、防犯モードに設定されているいずれかの照明器具の検知部が人を検知すると、その照明器具においては、制御部が自身の点滅動作を指令して、人を検知したことを知らせる。同時に、送受信部が他の全ての照明器具に人検知信号を発信するので、他の全ての照明器具は、防犯モードか否かにかかわらず、その送受信部が人検知信号を受信し、制御部が自身の点滅動作を指令する。このため、防犯モードに設定されているいずれか一つの照明器具が人を検知すると、全ての照明器具で人を検知した状態となり、例えば、各照明器具を点滅させて、不審者を威嚇するので、防犯効果が一層増すという効果を有する防犯照明システムを提供することができるものである。
【発明を実施するための最良の形態】
【００２０】
以下、本発明の実施形態に係る防犯照明システムについて、図面を用いて説明する。
図１は本発明の実施形態に係る防犯照明システムの全体を示す斜視図、図２は照明器具の斜視図、図３（Ａ）および（Ｂ）は防犯照明システムの構成図である。
【００２１】
図１に示すように、本発明に係る防犯照明システム１０では、複数個の照明器具２０Ａ〜２０Ｄ（なお、照明器具を総称する場合には「照明器具２０」で示す。）を有しており、例えば、例えば、２箇所の玄関１１Ａ、１１Ｂの軒下に各１台のダウンライト２０Ａ、２０Ｃを有し、各玄関１１Ａ、１１Ｂ前のアプローチ１２Ａ、１２Ｂに各１台の照明器具２０Ｂ、２０Ｄを設けている。なお、１箇所の玄関に１台のダウンライトを設け、アプローチに３台の照明器具を設けるようにしてもよい。
【００２２】
図２および図３（Ａ）に示すように、照明器具２０は、少なくとも、光源であるランプ２１と、検知部２２として人を検知する人感センサ２２ａおよび周囲の明るさを検知する明るさセンサ２２ｂと、他の照明器具２０に人検知信号を送るとともに他の照明器具２０からの人検知信号を受ける送受信部２３と、この照明器具２０を制御する制御部２４と、を有している。図２においては、ダウンライト２０Ａ、２０Ｂを例示しているが、他の照明器具２０Ｂ、２０Ｄでも、全体の形状やランプ２１が異なっても、同様の構成を有している。なお、各照明器具２０の送受信部２３は、有線の信号線により全て接続することができるが、無線等により接続することも可能である。
【００２３】
なお、図２および図３（Ｂ）に示すように、前述の構成要素に加えて、音を発するブザー等の音出力部２５を設けるのが望ましい。このように、光の点滅に加えて警報等の音を発することにより、一層、防犯効果を増すことができる。なお、音出力部２５としては、ブザーやベル等種々のものが適用可能であり、発する音は、ランプ２１の点灯等と同調することができるが、単に音を発するだけでも良い。
【００２４】
各照明器具２０は、少なくとも防犯モードおよび通常モード等が選択可能となっている。
防犯モードとは、人感センサ２２ａが人を検知した際に、ランプ２１を点滅させて、検知された人を威嚇するモードであり、このとき、同時に音出力部２５から警報音を発することもできる。なお、明るさセンサ２２ｂが、所定の明るさよりも暗くなったことを検知したときには、人の検知とは無関係にランプ２１を点灯させ、人を検知すると、点滅するようにすることもできる。
また、通常モードとは、明るさセンサ２２ｂが、所定の明るさよりも暗くなったことを検知した際に、ランプ２１を点灯させるモードである。このとき、一定時間経過後にはランプ２１を消灯させるようにしてもよい。
【００２５】
従って、複数個の照明器具２０Ａ〜２０Ｄのうち、防犯モードに設定されている照明器具（例えばダウンライト２０Ａ、２０Ｃ）のいずれかの人感センサ（例えばダウンライト（親器）２０Ａの人感センサ２２ａ）が人を検知すると、人を検知したダウンライト２０Ａにおいては、制御部２４の制御により、自身のランプ２１を制御して点滅動作を指令する。同時に、ダウンライト２０Ａの送受信部２３が、防犯モードに設定されていないものも含めて他の全ての照明器具（子器）２０Ｂ〜２０Ｄに人検知信号を発信する。他の全ての照明器具２０Ｂ〜２０Ｄでは、各送受信部２３が人検知信号を受信して、制御部２４が自身のランプ２１に点滅動作を指令する。なお、各照明器具２０においては、ランプ２１の点滅とともに、音出力部２５により警報音を発するようにしてもよい。
【００２６】
以上、説明した本発明に係る防犯照明システム１０によれば、防犯モードに設定されている照明器具２０Ａ、２０Ｃのいずれかの照明器具であるダウンライト２０Ａの人感センサ２２ａが人を検知すると、制御部２４が自身のランプ２１に点滅動作を指令して、人を威嚇する。同時に、送受信部２３が他の全ての照明器具２０Ｂ〜２０Ｄに人検知信号を発信するので、他の全ての照明器具２０Ｂ〜２０Ｄは、防犯モードか否かにかかわらず、その送受信部２３が人検知信号を受信して、制御部２４が自身の点滅動作を指令する。このため、親器となるいずれか一つの照明器具２０が人を検知すると、親器および子器の全ての照明器具２０で人を検知した状態となり、例えば、各照明器具２０のランプ２１を点滅させて不審者を威嚇するとともに、住人に人が検知されたことを知らせるので、防犯効果が一層増す。
【００２７】
なお、人感センサ２２ａによる人検知後、所定時間（例えば１０秒）経過後に、点滅動作が停止するようにするのが望ましい。これにより、省エネを図ることができる。
【００２８】
次に、具体的な実施例を、図に基づいて説明する。
（実施例−１）
本実施例においては、複数個の照明器具２０Ａ〜２０Ｄは、規則的に点滅動作を開始する。すなわち、図４に示すように、親器となるいずれかの照明器具（例えば、ダウンライト２０Ａ）の人感センサ２２ａが人を検知したら、その送受信部２３が他の全ての子器である照明器具２０Ｂ〜２０Ｄの送受信部２３に検知信号を発し、受信した照明器具２０Ｂ〜２０Ｄの制御部２４が制御して、全ての照明器具２０Ａ〜２０Ｄが同時（規則的）にランプ２１の点滅を開始する。そして、人検知後、所定時間（ここでは、例えば１０秒）経過したら、点滅動作を終了する。なお、点滅動作に伴って、音出力部２５から警報等の音を発するようにするのが望ましい。
【００２９】
（実施例−２）
本実施例においては、複数個の照明器具２０Ａ〜２０Ｄは、規則的に点滅動作を開始する。すなわち、図５に示すように、親器となるいずれかの照明器具（例えば、ダウンライト２０Ａ）の人感センサ２２ａが人を検知したら、その送受信部２３が他の全ての子器である照明器具２０Ｂ〜２０Ｄの送受信部２３に検知信号を発し、受信した照明器具２０Ｂ〜２０Ｄの制御部２４が制御して、照明器具２０Ｂから照明器具２０Ｄまで、次々に時間をずらして連続して（規則的に）ランプ２１の点滅動作を開始する。そして、ダウンライト２０Ａによる人検知後、所定時間（ここでは、例えば１０秒）経過したら、点滅動作を終了する。なお、点滅動作に伴って、音出力部２５から警報等の音を発するようにするのが望ましい。
【００３０】
（実施例−３）
本実施例においては、複数個の照明器具２０Ａ〜２０Ｄは、不規則的に点滅動作を開始する。すなわち、図６に示すように、親器となるいずれかの照明器具（例えば、ダウンライト２０Ａ）の人感センサ２２ａが人を検知したら、その送受信部２３が他の全ての子器である照明器具２０Ｂ〜２０Ｄの送受信部２３に検知信号を発し、受信した照明器具２０Ｂ〜２０Ｄの制御部２４により、不規則な順序でランダムに点滅動作を開始する。このため、どの照明器具２２０Ｂ〜２０Ｄが点滅動作を開始するのか不明であり、一層、防犯効果を増すことができる。そして、ダウンライト２０Ａによる人検知後、所定時間（ここでは、例えば１０秒）経過したら、点滅動作を終了する。なお、点滅動作に伴って、音出力部２５から警報等の音を発するようにするのが望ましい。
【００３１】
（実施例−４）
本実施例においては、複数個の照明器具２０Ａ〜２０Ｄによる点滅動作の、点滅間隔を規則的に変化させる。すなわち、図７に示すように、親器となるいずれかの照明器具（例えば、ダウンライト２０Ａ）の人感センサ２２ａが人を検知したら、その送受信部２３が他の全ての子器である照明器具２０Ｂ〜２０Ｄの送受信部２３に検知信号を発し、受信した照明器具２０Ｂ〜２０Ｄの制御部２４が制御して、照明器具２０Ｂから照明器具２０Ｄまで、順次、時間をずらして（規則的に）、点滅動作を開始する。このときの点滅間隔は、例えば、短い間隔Ｔ１と長い間隔Ｔ２があり、Ｔ１およびＴ２を規則的に繰り返す。そして、ダウンライト２０Ａによる人検知後、所定時間（ここでは、例えば１０秒）経過したら、点滅動作を終了する。なお、点滅動作に伴って、音出力部２５から警報等の音を発するようにするのが望ましい。
【００３２】
（実施例−５）
本実施例においては、複数個の照明器具２０Ａ〜２０Ｄによる点滅動作の、点滅間隔を不規則的に変化させる。すなわち、図８に示すように、親器となるいずれかの照明器具（例えば、ダウンライト２０Ａ）の人感センサ２２ａが人を検知したら、その送受信部２３が他の全ての子器である照明器具２０Ｂ〜２０Ｄの送受信部２３に検知信号を発し、受信した照明器具２０Ｂ〜２０Ｄの制御部２４が制御して、照明器具２０Ｂから照明器具２０Ｄまで、順次、時間をずらして点滅動作を開始する。このときの点滅間隔は、例えば、各照明器具２０Ａ〜２０Ｄにおいて任意であり、規則性はない。そして、ダウンライト２０Ａによる人検知後、所定時間（ここでは、例えば１０秒）経過したら、点滅動作を終了する。なお、点滅動作に伴って、音出力部２５から警報等の音を発するようにするのが望ましい。
【００３３】
なお、本発明の防犯照明システム１０は、前述した実施形態に限定されるものでなく、適宜な変形，改良等が可能である。例えば、前述した実施形態においては、４個の照明器具２０のうち、ダウンライト２０Ａ、２０Ｂを防犯モードに設定し、さらに、ダウンライト２０Ａを親器とし、他の照明器具２０Ｂ〜２０Ｄを子器とした場合について説明したが、これに限らない。少なくとも１個の照明器具を防犯モードに設定し、防犯モードに設定された照明器具の１個を親器とすることにより、本発明は適用可能である。
【図面の簡単な説明】
【００３４】
【図１】本発明の実施形態に係る防犯照明システムの全体を示す斜視図
【図２】照明器具の斜視図
【図３】（Ａ）および（Ｂ）は防犯照明システムの例を示す構成図
【図４】実施例−１における各照明器具の点滅動作を示すタイムチャート
【図５】実施例−２における各照明器具の点滅動作を示すタイムチャート
【図６】実施例−３における各照明器具の点滅動作を示すタイムチャート
【図７】実施例−４における各照明器具の点滅動作を示すタイムチャート
【図８】実施例−５における各照明器具の点滅動作を示すタイムチャート
【図９】従来の複数の照明器具を有する照明システムの構成図
【符号の説明】
【００３５】
１０  防犯照明システム
２０  照明器具
２０Ａ  いずれかの照明器具
２０Ｂ〜２０Ｄ  他の全ての照明器具
２２  検知部
２３  送受信部
２４  制御部
２５  音出力部
【図１】
2010033809.tif 000003
【図２】
2010033809.tif 000004
【図３】
2010033809.tif 000005
【図４】
2010033809.tif 000006
【図５】
2010033809.tif 000007
【図６】
2010033809.tif 000008
【図７】
2010033809.tif 000009
【図８】
2010033809.tif 000010
【図９】
2010033809.tif 000011